(57)【特許請求の範囲】
【請求項１】
商品陳列室の後方に人の作業空間を有し、作業空間を冷却する冷却手段と、作業空間内の空気を循環させる送風機と、作業空間内を照明する照明灯と、送風機及び照明灯を制御するスイッチを備えたショーケースにおいて、
前記送風機の運転停止と再開とをそれぞれ操作可能な共通のスイッチと、
スイッチの操作により送風機を停止した後、所定時間が経過すると送風機の運転を再開する制御手段とを具備した
ことを特徴とするショーケース。
【請求項２】
商品陳列室の後方に人の作業空間を有し、作業空間を冷却する冷却手段と、作業空間内の空気を循環させる送風機と、作業空間内を照明する照明灯と、送風機及び照明灯を制御するスイッチを備えたショーケースにおいて、
前記送風機の運転停止及び前記照明灯の点灯と、送風機の運転再開及び照明灯の消灯とをそれぞれ操作可能な共通のスイッチと、
スイッチの操作により送風機を停止した後、所定時間が経過すると送風機の運転を再開する制御手段とを具備した
ことを特徴とするショーケース。
【請求項３】
前記照明灯の点灯及び消灯をそれぞれ操作可能な専用のスイッチを具備した
ことを特徴とする請求項１記載のショーケース。
【請求項４】
前記スイッチ操作により照明灯を点灯した後、所定時間が経過すると照明灯を消灯する制御手段を具備した
ことを特徴とする請求項１、２または３記載のショーケース。
【請求項５】
照明灯に係る前記所定時間を変更するそれぞれ異なる所定時間が設定された複数のスイッチを具備した
ことを特徴とする請求項４記載のショーケース。
【発明の詳細な説明】
【０００１】
【発明の属する技術分野】
本発明は、例えばスーパーマーケットやコンビニエンスストアの商品陳列に使用されるショーケースに関するものである。
【０００２】
【従来の技術】
従来、この種のショーケースとしては、特開平１１−１０１５６０号公報に記載されているように、前面に開口部を有する商品陳列室と、商品陳列室の背面側に形成された商品貯蔵室と、商品陳列室の上面側及び底面側に形成された通風路とを備え、商品貯蔵室内の空気を上面側通風路を介して商品陳列室の前面開口部に吹出すことにより、商品陳列室の前面開口部にエアカーテンを形成するようにしたものが知られている。このショーケースでは、商品貯蔵室内及び上面側通風路に冷却器及び送風機を備えることにより、冷却された空気が商品陳列室及び商品貯蔵室を循環するようにし、商品陳列室を冷却するようになっている。そして、人が商品貯蔵室で作業を行う際には、送風機を停止するとともに、商品貯蔵室内の照明灯を点灯し、作業終了後に送風機の運転を再開し照明灯を消灯する。送風機及び照明灯の制御はショーケースに設けられたスイッチによって行われる。
【０００３】
【発明が解決しようとする課題】
しかしながら、従来のショーケースでは、送風機用と照明灯用にそれぞれ運転及び停止のスイッチを設けているいため、スイッチの数が多くなるとともに、操作が繁雑になるという問題点があった。
【０００４】
本発明は前記問題点に鑑みてなされたものであり、その目的とするところは、送風機のスイッチ操作の簡素化を図ることにある。
【０００５】
【課題を解決するための手段】
本発明は前記目的を達成するために、請求項１では、商品陳列室の後方に人の作業空間を有し、作業空間を冷却する冷却手段と、作業空間内の空気を循環させる送風機と、作業空間内を照明する照明灯と、送風機及び照明灯を制御するスイッチを備えたショーケースにおいて、前記送風機の運転停止と再開とをそれぞれ操作可能な共通のスイッチと、スイッチの操作により送風機を停止した後、所定時間が経過すると送風機の運転を再開する制御手段とを具備している。これにより、共通のスイッチにより送風機の運転停止と再開がそれぞれ行われることから、送風機の運転停止及び再開にそれぞれ別々のスイッチを操作する必要がない。また、スイッチの操作により送風機を停止すると、所定時間が経過した後に自動的に運転が再開される。
【０００６】
また、請求項２では、商品陳列室の後方に人の作業空間を有し、作業空間を冷却する冷却手段と、作業空間内の空気を循環させる送風機と、作業空間内を照明する照明灯と、送風機及び照明灯を制御するスイッチを備えたショーケースにおいて、前記送風機の運転停止及び前記照明灯の点灯と、送風機の運転再開及び照明灯の消灯とをそれぞれ操作可能な共通のスイッチと、スイッチ操作により送風機を停止した後、所定時間が経過すると送風機の運転を再開する制御手段とを具備している。これにより、共通のスイッチにより送風機が運転を停止するとともに照明灯が点灯する。また、共通のスイッチにより送風機が運転を再開するとともに照明灯が消灯する。従って、共通のスイッチにより送風機の運転停止及び照明灯の点灯と、送風機の運転再開及び照明灯の消灯がそれぞれ行われることから、送風機の運転停止と、照明灯の点灯と、送風機の運転再開と、照明灯の消灯とにそれぞれ別々のスイッチを操作する必要がない。また、スイッチの操作により送風機を停止すると、所定時間が経過した後に自動的に運転が再開される。
【０００７】
また、請求項３では、請求項１記載のショーケースにおいて、前記照明灯の点灯及び消灯をそれぞれ操作可能な専用のスイッチを具備している。これにより、請求項１の作用に加え、照明灯の点灯及び消灯が専用のスイッチによって操作される。
【０００８】
また、請求項４では、請求項１、２または３記載のショーケースにおいて、前記スイッチ操作により照明灯を点灯した後、所定時間が経過すると照明灯を消灯する制御手段を具備している。これにより、請求項１、２または３の作用に加え、スイッチ操作により照明灯を点灯すると、所定時間が経過した後に自動的に消灯される。
【０００９】
また、請求項５では、請求項４記載のショーケースにおいて、照明灯に係る前記所定時間を変更するそれぞれ異なる所定時間が設定された複数のスイッチを具備している。これにより、請求項４の作用に加え、照明灯の点灯する時間が任意に変更可能となる。
【００１０】
【発明の実施の形態】
図１乃至図５は本発明のショーケースの第１の実施形態を示すもので、図１はショーケースの側面断面図、図２は送風機及び蛍光灯の制御スイッチ配置図、図３は制御系を示すブロック図、図４は送風機の制御プログラムのフローチャート、図５は蛍光灯の制御プログラムのフローチャートである。
【００１１】
まず、図１及び図２を参照して、ショーケースの構成について説明する。
【００１２】
このショーケースは、ショーケース本体１の前面側に形成された商品陳列室２と、商品陳列室２の背面側に形成された商品貯蔵室３と、商品陳列室２と商品貯蔵室３との間を開閉する引き戸４と、商品陳列室２の上面側及び底面側に形成された通風路５，６と、商品貯蔵室３内の空気を冷却する第１の冷却器７と、上面側通風路５内の空気を冷却する第２の冷却器８と、商品貯蔵室３内を照明する蛍光灯９と、操作パネル１０と、制御部１１とから構成されている。
【００１３】
商品陳列室２は前面に開口部を有し、その内部には上下複数段の商品棚が設けられている。
【００１４】
商品貯蔵室３は内部に人の作業可能な空間を有し、その一側面には作業者が出入りするための扉３ａが設けられている。また、商品貯蔵室３内の上部には空気循環用の送風機３ｂが設けられている。
【００１５】
引き戸４は一対の引き違い扉からなり、ショーケース本体１の幅方向に移動させることによって開閉動作を行うようになっている。即ち、引き戸４を開放することにより、商品貯蔵室３内に貯蔵しておいた商品を適宜商品陳列室２に補充できるようになっている。
【００１６】
上面側通風路５は前面開口部側の一端に空気吐出口５ａを有し、その他端には商品貯蔵室３内の上部に臨む空気流入口５ｂが設けられている。また、上面側通風路５内には空気流通用の送風機５ｃが設けられている。
【００１７】
底面側通風路６は前面開口部側の一端に空気吸入口６ａを有し、その他端には商品貯蔵室３内の下部に臨む空気流出口６ｂが設けられている。また、底面側通風路６内には空気流通用の送風機６ｃが設けられている。
【００１８】
第１の冷却器７は商品貯蔵室３内の上部に配置され、周知構成の冷凍回路に接続されている。
【００１９】
第２の冷却器８は上面側通風路５内に配置され、周知構成の冷凍回路に接続されている。
【００２０】
蛍光灯９は商品貯蔵室３内の上部に配置され、蛍光灯９が点灯することにより、商品貯蔵室３内を照明するようになっている。
【００２１】
操作パネル１０は商品貯蔵室３の外側の扉３ａの近傍に配置され、送風機３ｂの停止及び運転再開を制御するメインスイッチ１０ａと、蛍光灯９の点灯時間Ｔ２をｔ１，ｔ２，ｔ３に設定するタイマの第１のスイッチ１０ｂ、タイマの第２のスイッチ１０ｃ、タイマの第３のスイッチ１０ｄと、蛍光灯９を消灯する蛍光灯ＯＦＦスイッチ１０ｅと、送風機の停止とともに点灯するランプ１０ｆと、蛍光灯の設定時間がｔ１，ｔ２，ｔ３のときにそれぞれ点灯するランプ１０ｇ，１０ｈ，１０ｉとが設けられている。この場合、各スイッチ１０ａ，１０ｂ，１０ｃ，１０ｄ，１０ｅはボタンタイプであり、また、例えばｔ１は５分、ｔ２は１５分、ｔ３は６０分に設定されている。
【００２２】
制御部１１はマイクロコンピュータによって構成され、メインスイッチ１０ａ、タイマの第１のスイッチ１０ｂ、タイマの第２のスイッチ１０ｃ、タイマの第３のスイッチ１０ｄ、蛍光灯ＯＦＦスイッチ１０ｅに接続されている。また、制御部１１には、送風機３ｂ、蛍光灯９が接続され、第１のタイマ１１ａ及び第２のタイマ１１ｂは制御部１１に含まれている。
【００２３】
以下に、商品貯蔵室３内での作業時に必要となる、送風機３ｂの運転停止及び再開並びに蛍光灯９の点灯及び消灯を行う制御部１１の動作について、図４及び５に示したフローチャートに従って説明する。
【００２４】
まず、図４を参照し、送風機３ｂの運転停止及び再開の制御について説明する。商品貯蔵室３内において商品陳列室２への商品の補充等の作業を行う前は、ショーケースは通常の状態、即ち、商品陳列室２及び商品貯蔵室３の冷却のために送風機３ｂは作動している。ここで、メインスイッチ１０ａが押圧されると（ＳＴ１）、送風機３ｂを停止し（ＳＴ２）、第１のタイマ１１ａを作動する（ＳＴ３）。この場合、第１のタイマ１１ａの設定時間はｔ１となっている。次に、第１のタイマ１１ａの設定時間経過前にメインスイッチ１０ａが押圧されると（ＳＴ４）、送風機３ｂを作動し（ＳＴ６）、ステップＳＴ１に戻る。ここで、メインスイッチ１０ａが第１のタイマ１１ａの設定時間経過時まで押圧されない場合は（ＳＴ５）、送風機３ｂを作動し（ＳＴ６）、ステップＳＴ１に戻る。
【００２５】
次に、図５を参照し、蛍光灯９の消灯及び点灯の制御について説明する。ショーケースの通常の状態では、蛍光灯９は消灯している。ここで、第１のスイッチ１０ｂ、第２のスイッチ１０ｃまたは第３のスイッチ１０ｄが押圧されると（ＳＴ７，ＳＴ８，ＳＴ９）、予め設定された時間ｔ１，ｔ２，ｔ３に第２のタイマ１１ｂの設定時間Ｔ２を設定し（ＳＴ１０，ＳＴ１１，ＳＴ１２）、第２のタイマ１１ｂをリセットした後に（ＳＴ１３）、第２のタイマ１１ｂを作動し（ＳＴ１４）、蛍光灯９が点灯しているか否かを判別し（ＳＴ１５）、この場合は点灯していないので、蛍光灯９を点灯する（ＳＴ１６）。次に、第２のタイマ１１ｂの設定時間Ｔ２の経過前に（ＳＴ１７）、蛍光灯ＯＦＦスイッチ１０ｅが押圧されると（ＳＴ１８）、蛍光灯９を消灯し（ＳＴ１９）、ステップＳＴ７に戻る。また、この後、ステップＳＴ７〜ＳＴ９において何れのスイッチも操作されず、ステップＳＴ２０において蛍光灯９がＯＮと判定され、ステップＳＴ１７において蛍光灯ＯＦＦスイッチ１０ｅが第２のタイマ１１ｂの設定時間の経過時まで押圧されない場合、蛍光灯９を消灯し（ＳＴ２０）、ステップＳＴ７に戻る。
【００２６】
このように、本実施形態のショーケースによれば、送風機３ｂの運転停止及び再開を共通のメインスイッチ１０ａにより行うようにしたので、商品貯蔵室３内で作業する場合の送風機３ｂのスイッチ操作を極めて容易に行うことができ、操作の簡素化を図ることができる。さらに、構造が簡単になるので、ショーケースの部品点数の削減を図ることができる。
【００２７】
また、送風機３ｂをメインスイッチ１０ａにより停止した後、所定時間が経過すると送風機３ｂの運転を再開するようにしたので、例えば作業者が送風機３ｂの運転再開の操作を忘れた場合でも自動的に送風機３ｂの運転が再開され、送風機３ｂの長時間の停止により商品が劣化することがないという利点がある。
【００２８】
また、蛍光灯９をメインスイッチ１０ａにより点灯した後、所定時間が経過すると蛍光灯９が消灯するようにしたので、例えば作業者が蛍光灯９の消灯の操作を忘れた場合でも自動的に蛍光灯９が消灯され、蛍光灯９の長時間の点灯による電力の無駄な消費を防止することができる。
【００２９】
また、蛍光灯９のタイマの設定時間を変更できるようにしたので、商品貯蔵室３内で作業を行う時間に応じて、蛍光灯９の点灯時間を任意に変更することができる。
【００３０】
図６及至図８は、本発明の第２の実施形態を示すもので、図６は送風機及び蛍光灯の制御スイッチ配置図、図７は制御系を示すブロック図、図８は送風機及び蛍光灯の制御プログラムのフローチャートである。
【００３１】
ショーケースの構成は、第１の実施形態のショーケースにおいて蛍光灯ＯＦＦスイッチ１０ｅを省略した他は同等の構成となっている。以下に、第１の実施例における符号を用いて、操作パネル１０による送風機３ｂの運転停止及び再開並びに蛍光灯９の点灯及び消灯を行う制御について、図８に示したフローチャートに従って説明する。
【００３２】
第１の実施形態と同様に、ショーケースは通常の状態で送風機３ｂは作動し蛍光灯９は消灯している。ここで、メインスイッチ１０ａが押圧されると（ＳＴ１０１）、送風機３ｂを停止し（ＳＴ１０２）、第１のタイマ１１ａを作動する（ＳＴ１０３）。この場合、第１のタイマ１１ａの設定時間Ｔ１はｔ１である。次に、第２のタイマ１１ｂの設定時間Ｔ２をｔ１に設定し（ＳＴ１０４）、第２のタイマ１１ｂを作動し（ＳＴ１０５）、蛍光灯９を点灯し（ＳＴ１０６）、メインスイッチ１０ａが押圧されたか否かを判別する（ＳＴ１０７）。メインスイッチ１０ａが押圧されていない場合、第２のタイマ１１ｂの設定時間の変更が可能であり、第１のスイッチ１０ｂが選択された場合は（ＳＴ１０８）、第２のタイマ１１ｂの設定時間Ｔ２をｔ１とし（ＳＴ１０９）、第２のスイッチ１０ｃが選択された場合は（ＳＴ１１０）、第２のタイマ１１ｂの設定時間Ｔ２をｔ２とし（ＳＴ１１１）、第３のスイッチ１０ｄが選択された場合は（ＳＴ１１２）、第２のタイマ１１ｂの設定時間Ｔ２をｔ３とし（ＳＴ１１３）、第２のタイマ１１ｂをリセットした後に（ＳＴ１１４）、第２のタイマ１１ｂを作動する（ＳＴ１１５）。次に、送風機３ｂが運転しているか否かを判別し（ＳＴ１１６）、送風機３ｂが停止している場合は、メインスイッチ１０ａが第１のタイマ１１ａの設定時間Ｔ１が経過した後（ＳＴ１１７）、送風機３ｂの運転を再開する（ＳＴ１１８）。この後、第２のタイマ１１ｂの設定時間Ｔ２が経過すると（ＳＴ１１９）、蛍光灯９を消灯し（ＳＴ１２０）、ステップＳＴ１０１に戻る。また、ステップＳＴ１１７において、第１のタイマ１１ａの設定時間Ｔ１の経過前にメインスイッチ１０ａが押圧されると（ＳＴ１０７）、送風機３ｂの運転を再開するとともに（ＳＴ１２１）、蛍光灯９を消灯し（ＳＴ１２０）、ステップＳＴ１０１に戻る。
【００３３】
このように、本実施形態のショーケースによれば、送風機３ｂの運転停止及び蛍光灯９の点灯と、送風機３ｂの運転再開及び蛍光灯９の消灯とをそれぞれ共通のメインスイッチ１０ａにより行うようにしたので、商品貯蔵室３内で作業する場合の送風機３ｂ及び蛍光灯９のスイッチ操作を一つのスイッチで行うことができ、第１の実施例よりも更に操作の簡素化を図ることができる。
【００３４】
尚、前記実施形態のショーケースでは、三つのスイッチを設け、それぞれのスイッチを押圧することにより既に設定された時間ｔ１，ｔ２，ｔ３に第２のタイマ１１ｂの設定時間Ｔ２を変更するようにしたものを示したが、例えば一つのスイッチの押圧回数または押圧時間でタイマの設定時間を変更するようにしても本実施形態と同様の作用効果が得られる。
【００３５】
【発明の効果】
以上説明したように、請求項１のショーケースによれば、共通のスイッチにより送風機の運転停止及び再開を制御するようにしたので、作業空間内で作業する場合の送風機のスイッチ操作を極めて容易に行うことができ、操作の簡素化を図ることができる。さらに、構造が簡単になるので、ショーケースの部品点数の削減を図ることができる。また、送風機をスイッチで停止すると、所定時間が経過した後に送風機の運転が再開するので、例えば作業者が送風機の運転再開の操作を忘れた場合でも、自動的に送風機の運転が再開し、送風機の長時間の停止により商品が劣化することがないという利点がある。
【００３６】
また、請求項２のショーケースによれば、共通のスイッチにより送風機の運転停止と照明灯の点灯及び送風機の運転再開及び照明灯の消灯を制御するようにしたので、作業空間内で作業する場合の送風機及び照明灯のスイッチ操作を極めて容易に行うことができ、操作の簡素化を図ることができる。さらに、構造が簡単になるので、ショーケースの部品点数の削減を図ることができる。
【００３７】
また、送風機をスイッチで停止すると、所定時間が経過した後に送風機の運転が再開するので、例えば作業者が送風機の運転再開の操作を忘れた場合でも、自動的に送風機の運転が再開し、送風機の長時間の停止により商品が劣化することがないという利点がある。
【００３８】
また、請求項４のショーケースによれば、請求項１、２または３の効果に加え、照明灯をスイッチで点灯すると、所定時間が経過した後に照明灯が消灯するので、例えば作業者が照明灯の消灯の操作を忘れた場合でも自動的に照明灯が消灯し、照明灯の長時間の点灯による電力の無駄な消費を防止することができる。
【００３９】
また、請求項５のショーケースによれば、請求項４の効果に加え、作業空間内で作業を行う時間により、照明灯の点灯時間を任意に変更することができる。
【図面の簡単な説明】
【図１】本発明の第１の実施形態を示すショーケースの側面断面図
【図２】送風機及び蛍光灯の制御スイッチ配置図
【図３】制御系を示すブロック図
【図４】送風機の制御プログラムのフローチャート
【図５】蛍光灯の制御プログラムのフローチャート
【図６】本発明の第２の実施形態を示す送風機及び蛍光灯の制御スイッチ配置図
【図７】制御系を示すブロック図
【図８】送風機及び蛍光灯の制御プログラムのフローチャート
【符号の説明】
１…ショーケース本体、２…商品陳列室、３…商品貯蔵室、３ｂ…送風機、９…蛍光灯、１０…操作パネル、１０ａ…メインスイッチ。
【図１】
0004039769.tif 000002
【図２】
0004039769.tif 000003
【図３】
0004039769.tif 000004
【図４】
0004039769.tif 000005
【図５】
0004039769.tif 000006
【図６】
0004039769.tif 000007
【図７】
0004039769.tif 000008
【図８】
0004039769.tif 000009